(57)【要約】【課題】  ライタを必要とせずに情報の書き込みが可能なＩＣカードを提供する。【解決手段】  情報記憶送信装置１１のケーシング１２にウエイト１８で付勢された回転軸１７を回転自在に支持し、回転軸１７の表面に設けた導電性皮膜１９の第１部分１９ａに第１端子２１を常時接触させるとともに、第２部分１９ｂに第２端子２２を接触・離反可能に対向させる。ケーシング１２の表裏を反転すると、導電性皮膜１９に第２端子２２が接触して第１、第２端子２１，２２間が導通する場合と、第２端子２２が離反して第１、第２端子２１，２２間の導通が遮断される場合とが切り替わり、その導通状態に応じた情報がＩＣチップ１４およびアンテナ１５を介して読み取り機に送信されるので、特別のライタを必要とせずに情報記憶送信装置１１への情報の書き込みが可能になって利便性が大幅に向上する。【選択図】        図１
2005251119.tif 000002
【特許請求の範囲】
【請求項１】
本体（１２）にＩＣチップ（１４）およびアンテナ（１５）を内蔵し、ＩＣチップ（１４）に記憶された情報をアンテナ（１５）から読み取り機に送信して非接触で読み取り可能な情報記憶送信装置において、
本体（１２）に回転自在に支持されて表面の一部が導電体（１９）で構成された回転軸（１７）と、ＩＣチップ（１４）に接続されて前記導電体（１９）に接触可能な第１端子（２１）および第２端子（２２，２２ａ，２２ｂ）とを備え、
回転軸（１７）の回転により変化する前記第１端子（２１）および第２端子（２２，２２ａ，２２ｂ）の導通状態に応じた情報を、ＩＣチップ（１４）およびアンテナ（１５）を介して読み取り機に送信可能なことを特徴とする情報記憶送信装置。
【請求項２】
本体（１２）の姿勢を変換したとき、回転軸（１７）は重力の方向に対して一定の姿勢を維持するように本体（１２）に対して回転することを特徴とする、請求項１に記載の情報記憶送信装置。
【発明の詳細な説明】
【技術分野】
【０００１】
本発明は、本体にＩＣチップおよびアンテナを内蔵し、ＩＣチップに記憶された情報をアンテナから読み取り機に送信して非接触で読み取り可能な情報記憶送信装置に関する。
【背景技術】
【０００２】
非接触式のリーダアンドライタを用いて情報の読み取りおよび書き込みが可能な、ＩＣカードやＩＣタグのような情報記憶送信装置が、下記特許文献１および下記特許文献２により公知である。この種のＩＣカードやＩＣタグは、そのＩＣチップの内部に情報の書き込みおよび読み出しが可能なＲＡＭを備えている。
【特許文献１】特開２００３−８５５０１号公報
【特許文献２】特開２００１−２５１６８７号公報
【発明の開示】
【発明が解決しようとする課題】
【０００３】
ところで、従来のＩＣカードやＩＣタグは情報の書き込みに専用のライタが必要であったため、情報の書き込みを簡便に行えないという問題があった。
【０００４】
本発明は前述の事情に鑑みてなされたもので、ライタを必要とせずに情報の書き込みが可能な情報記憶送信装置を提供することを目的とする。
【課題を解決するための手段】
【０００５】
上記目的を達成するために、請求項１に記載された発明によれば、本体にＩＣチップおよびアンテナを内蔵し、ＩＣチップに記憶された情報をアンテナから読み取り機に送信して非接触で読み取り可能な情報記憶送信装置において、本体に回転自在に支持されて表面の一部が導電体で構成された回転軸と、ＩＣチップに接続されて前記導電体に接触可能な第１端子および第２端子とを備え、回転軸の回転により変化する前記第１端子および第２端子の導通状態に応じた情報を、ＩＣチップおよびアンテナを介して読み取り機に送信可能なことを特徴とする情報記憶送信装置が提案される。
【０００６】
また請求項２に記載された発明によれば、請求項１の構成に加えて、本体の姿勢を変換したとき、回転軸は重力の方向に対して一定の姿勢を維持するように本体に対して回転することを特徴とする情報記憶送信装置が提案される。
【０００７】
尚、実施例のケーシング１２は本発明の本体に対応し、実施例の導電性被膜１９は本発明の導電体に対応する。
【発明の効果】
【０００８】
請求項１の構成によれば、情報記憶送信装置の本体に回転自在に支持した回転軸を所定位置に回転させると、回転軸の表面の一部に設けた導電体に接触可能な第１、第２端子の導通状態が変化し、その導通状態に応じた情報がＩＣチップおよびアンテナを介して読み取り機に送信されるので、特別のライタを必要とせずに情報記憶送信装置への情報の書き込みが可能になって利便性が大幅に向上する。
【０００９】
請求項２の構成によれば、本体の姿勢を変換すると回転軸は重力の方向に対して一定の姿勢を維持するように回転するので、本体の姿勢を変換するだけの簡単な操作で情報記憶送信装置に情報を書き込むことができる。
【発明を実施するための最良の形態】
【００１０】
以下、本発明の実施の形態を、添付の図面に示した本発明の実施例に基づいて説明する。
【００１１】
図１〜図５は本発明の第１実施例を示すもので、図１は情報記憶送信装置の斜視図、図２は図１の２−２線断面図、図３は図２の３−３線断面図、図４は図２に対応する作用説明図、図５は図３に対応する作用説明図である。
【００１２】
図１〜図３に示すように、情報記憶送信装置１１は直方体状のケーシング１２を備えており、その内部に固定した基板１３にＣＰＵ、ＲＯＭ、Ｉ／Ｏ等を含むＩＣチップ１４と、外部の読み取り機（図示せず）との間で無線通信を行うアンテナ１５とが埋め込まれる。ケーシング１２には一対のベアリング１６，１６を介して合成樹脂製の回転軸１７が回転自在に支持されており、この回転軸１７の中間部に偏心したウエイト１８が固定される。従って、ケーシング１２の相対向する第１面１２ａおよび第２面１２ｂの何れを上にしても、ウエイト１８が鉛直方向下側に位置するように回転軸１７が回転する。
【００１３】
回転軸１７の表面の一部に導電性皮膜１９が設けられており、この導電性皮膜１９は回転軸１７の外周を３６０°に亘って囲む第１部分１９ａと、この第１部分１９ａと一体に形成されて回転軸１７の外周を１８０°に亘って囲む第２部分１９ｂとで構成される。ＩＣチップ１４に導線２０で接続された第１端子２１が導電性皮膜１９の第１部分１９ａに常時接触するようにケーシング１２の内面に固定されるとともに、ＩＣチップ１４に導線２３で接続された第２端子２２が導電性皮膜１９の第２部分１９ｂに接触し得るようにケーシング１２の内面に固定される。
【００１４】
しかして、図２および図３に示すように、情報記憶送信装置１１のケーシング１２の第１面１２ａを上にして机やテーブル上に載置するとウエイト１８が下向きになるように回転軸１７が回転し、第２端子２２が導電性皮膜１９の第２部分１９ｂに接触して第１、第２端子２１，２２間が電気的に導通するため、ＩＣチップ１４に［１］の情報が書き込まれる。逆に、図４および図５に示すように、情報記憶送信装置１１のケーシング１２の第２面１２ｂを上にして机やテーブル上に載置するとウエイト１８が下向きになるように回転軸１７が回転し、第２端子２２が導電性皮膜１９の第２部分１９ｂから離反して第１、第２端子２１，２２間の電気的導通が遮断されるため、ＩＣチップ１４に［０］の情報が書き込まれる。従って、この情報記憶送信装置１１を読み取り機に接近させることで、アンテナ１５を介して無線で通信を行い、ケーシング１２の姿勢に応じた情報を非接触で読み取ることができる。このように、特別のライタを必要とせずに、ケーシング１２の姿勢を変換するだけで情報記憶送信装置１１への情報の書き込みが可能になるため、利便性が大幅に向上する。
【００１５】
この情報記憶送信装置１１を用いれば、例えば社員が出社したときに情報記憶送信装置１１のケーシング１２の第１面１２ａを上向きにし、退社するときにケーシング１２の第２面１２ｂを上向きにすれば、その社員が出社しているのか退社しているのかを一元的に把握することができる。
【００１６】
図６〜図１０は本発明の第２実施例を示すもので、図６は情報記憶送信装置の斜視図、図７は図６の７−７線断面図、図８は図７の８−８線断面図、図９は図７に対応する作用説明図、図１０は図８に対応する作用説明図である。尚、第２実施例以後の実施例において、それ以前の実施例の部材と対応する部材に該実施例と同じ符号を付すことで、重複する説明を省略する。
【００１７】
図６〜図８に示すように、第２実施例の情報記憶送信装置１１の合成樹脂製の回転軸１７の表面に設けられた導電性皮膜１９は、回転軸１７の外周を３６０°に亘って囲む第１部分１９ａと、第１部分１９ａの軸方向両側に一体に形成されて回転軸１７の外周を１８０°に亘って囲む二つの第２部分１９ｂ，１９ｂとで構成され、それら二つの第２部分１９ｂ，１９ｂの位相は１８０°ずれている。ケーシング１２に設けられて導線２０を介してＩＣチップ１４に接続された第１端子２１は導電性皮膜１９の第１部分１９ａに常時接触し、ケーシング１２に設けられた二つの第２端子２２ａ，２２ｂがそれぞれ導電性皮膜１９の二つの第２部分１９ｂ，１９ｂに当接可能に対向する。一方の第２端子２２ａをＩＣチップ１４に接続する導線２４ａの中間に第１情報記憶回路２５ａが接続され、他方の第２端子２２ｂをＩＣチップ１４に接続する導線２４ｂの中間に第２情報記憶回路２５ｂが接続される。
【００１８】
しかして、図７および図８に示すように、情報記憶送信装置１１のケーシング１２の第１面１２ａを上にして机やテーブル上に載置するとウエイト１８が下向きになるように回転軸１７が回転し、一方の第２端子２２ａが導電性皮膜１９の一方の第２部分１９ｂに接触するため、第１、第２端子２１，２２ａが導電性皮膜１９を介して導通して第１情報記憶回路２５ａに記憶された例えば［ＡＢＣＤＥＦＧ］という情報がＩＣチップ１４に記憶される。逆に、図９および図１０に示すように、情報記憶送信装置１１のケーシング１２の第２面１２ｂを上にして机やテーブル上に載置するとウエイト１８が下向きになるように回転軸１７が回転し、他方の第２端子２２ｂが導電性皮膜１９の他方の第２部分１９ｂに接触するため、第１、第２端子２１，２２ｂが導電性皮膜１９を介して導通して第２情報記憶回路２５ｂに記憶された例えば［ＯＰＱＲＳＴＵ］という情報がＩＣチップ１４に記憶される。
【００１９】
従って、この第２実施例によれば、第１実施例に比べて複雑な情報を記憶させることが可能になる。
【００２０】
図１１〜図１３は本発明の第３実施例を示すので、図１１は情報記憶送信装置の斜視図、図１２は図１１の１２−１２線断面図、図１３は図１２に対応する作用説明図である。      
【００２１】
第３実施例は第１実施例の変形であって、第１実施例の情報記憶送信装置１１ではケーシング１２にベアリング１６，１６を介して回転軸１７が支持されているが、第３実施例の情報記憶送信装置１１では立方体状のケーシング１２に収納した基板１３にベアリング１６，１６を介して回転軸１７が支持されている。回転軸１７に固定された円板状のウエイト１８は基板１３の開口１３ａに嵌合し、回転軸１７はウエイト１８に設けた重量部１８ａが下側になるように重力で付勢される。
【００２２】
合成樹脂製の回転軸１７の表面に設けられた導電性皮膜１９は、回転軸１７の一端側を３６０°に亘って囲む第１部分１９ａと、回転軸１７の他端側を１８０°に亘って囲む第２部分１９ｂと、第１、第２部分１９ａ，１９ｂを接続する２本の導線状の第３部分１９ｃ，１９ｃとで構成される。そして基板１３に設けた第１端子２１が導電性皮膜１９の第１部分１９ａに常時接触し、基板１３に設けた第２端子２２が導電性皮膜１９の第２部分１９ｂに接触し得るように対向する。第１、第２端子２１，２２は、それぞれ基板１３に埋め込まれた導線２０，２３を介してＩＣチップ１４に接続される。
【００２３】
この第３実施例によれば、ケーシング１２の第１面１２ａあるいは第２面１２ｂを上向きにすると、第１、第２端子２１，２２の導通状態が切り替わることで、上述した第１実施例と同様の作用効果を達成することができ、更に基板１３に情報記憶送信装置１１としての全機能が集約されているため、任意の形状のケーシング１２に収納することが可能になって汎用性が向上する。
【００２４】
図１４〜図１６は本発明の第４実施例を示すので、図１４は情報記憶送信装置の斜視図、図１５は図１４の１５−１５線断面図、図１６は図１５に対応する作用説明図である。      
【００２５】
第４実施例は第２実施例の変形であって、第３実施例と同様の構造でケーシング１２にベアリング１６，１６を介して支持された回転軸１７の導電性皮膜１９は、回転軸１７のウエイト１８から一方に突出する部分を３６０°に亘って囲む第１部分１９ａと、回転軸１７のエイト１８から他方に突出する部分を略１８０°ずつ囲む一対の第２部分１９ｂ，１９ｂとで構成され、第１部分１９ａには第１端子２１が常時接触し、二つの第２部分１９ｂ，１９ｂの何れか一方には第２端子２２が接触する。ウエイト１８の内部で第１部分１９ａと一対の第２部分１９ｂ，１９ｂとを接続する第１、第２導線２６ａ，２６ｂに、それぞれ第１、第２情報記憶回路２５ａ，２５ｂが接続される。
【００２６】
この第４実施例によれば、ケーシング１２の第１面１２ａあるいは第２面１２ｂを上向きにすると、第１、第２端子２１，２２間に第１、第２情報記憶回路２５ａ，２５ｂの何れか一方が介在することで、上述した第２実施例と同様の作用効果を達成することができ、更に基板１３に情報記憶送信装置１１としての全機能が集約されているため、任意の形状のケーシング１２に収納することが可能になって汎用性が向上する。
【００２７】
以上、本発明の実施例を説明したが、本発明はその要旨を逸脱しない範囲で種々の設計変更を行うことが可能である。
【００２８】
例えば、実施例では第１端子２１および第２端子２１（２２ａ，２２ｂ）間の導通状態に２種類に切り替えているが、３種類以上に切り替えることで書き込める情報の種類を増加させることができる。また回転軸を直交する方向に２本あるいは３本設け、それらの回転状態を組み合わせれば、更に多くの情報を書き込むことができる。ケーシング１２の形状も直方体や立方体に限定されず、任意の多面体を採用することができる。
【図面の簡単な説明】
【００２９】
【図１】第１実施例に係る情報記憶送信装置の斜視図
【図２】図１の２−２線断面図
【図３】図２の３−３線断面図
【図４】図２に対応する作用説明図
【図５】図３に対応する作用説明図
【図６】第２実施例に係る情報記憶送信装置の斜視図
【図７】図６の７−７線断面図
【図８】図７の８−８線断面図
【図９】図７に対応する作用説明図
【図１０】図８に対応する作用説明図
【図１１】第３実施例に係る情報記憶送信装置の斜視図
【図１２】図１１の１２−１２線断面図
【図１３】図１２に対応する作用説明図
【図１４】第４実施例に係る情報記憶送信装置の斜視図
【図１５】図１４の１５−１５線断面図
【図１６】図１５に対応する作用説明図
【符号の説明】
【００３０】
１２        ケーシング（本体）
１４        ＩＣチップ
１５        アンテナ
１７        回転軸
１９        導電性被膜（導電体）
２１        第１端子
２２        第２端子
２２ａ      第２端子
２２ｂ      第２端子
【図１】
2005251119.tif 000003
【図２】
2005251119.tif 000004
【図３】
2005251119.tif 000005
【図４】
2005251119.tif 000006
【図５】
2005251119.tif 000007
【図６】
2005251119.tif 000008
【図７】
2005251119.tif 000009
【図８】
2005251119.tif 000010
【図９】
2005251119.tif 000011
【図１０】
2005251119.tif 000012
【図１１】
2005251119.tif 000013
【図１２】
2005251119.tif 000014
【図１３】
2005251119.tif 000015
【図１４】
2005251119.tif 000016
【図１５】
2005251119.tif 000017
【図１６】
2005251119.tif 000018